(57)【要約】      （修正有）【課題】パイロット割り当てを用いる無線通信システム、方法及びそのパイロットパターンを提供する。【解決手段】ＯＦＤＭ変調を用いたＭＩＭＯシステムにおいて、複数のパイロットストリームを伝送するに用いるパイロット割り当て方法は、隣接するフレーム構造に適用し、２個のパイロットは、１８個のサブキャリアと６個のＯＦＤＭ符号を含むフレーム構造において、各パイロットストリームに割り当てる。８個のパイロットストリームを２個のパイロットストリームクラスタにグループ分け、各パイロットストリームクラスタに対して、パイロットを２個のパイロットクラスタにグループ分ける。それから、４個のパイロットクラスタを第１フレーム構造に割り当て、また、第２フレーム構造の前記パイロットクラスタを第１フレーム構造の割り当てに基づいて、割り当てる。【選択図】図３
2010158010.tif 000002
【特許請求の範囲】
【請求項１】
直交周波数分割多重方式（ＯＦＤＭ）変調を用いる多入力多出力（ＭＩＭＯ）アンテナシステムにおいて、複数のパイロットストリームを伝送するに用いるパイロットの割り当て方法であって、
時間ドメインにおるＯＦＤＭ符号と周波数ドメインにおるサブキャリアとを含む２個の隣接するフレーム構造を提供するステップと、
２個のパイロットを各前記複数のパイロットストリームに対して第１フレーム構造に割り当てるステップと、
前記第１フレーム構造の前記パイロット割り当てに基づいて、前記第２フレーム構造における各前記複数のパイロットストリームに対して前記２個のパイロットを割り当てるステップと、
を含むパイロットの割り当て方法。
【請求項２】
サブキャリアの数は１８つであることを特徴とする請求項１に記載の方法。
【請求項３】
ＯＦＤＭ符号の数は５、６、または７であることを特徴とする請求項１に記載の方法。
【請求項４】
２個のパイロットを各前記複数のパイロットストリームに対して第１フレーム構造に割り当てるステップにおいて、
前記複数のパイロットストリームを２個のパイロットストリームクラスタにグループ分けるステップと、
それぞれ２個の前記パイロットストリームクラスタに対して前記２個のパイロットを２個のパイロットクラスタに割り当てるステップと、
前記パイロット割り当てに対する保留部分の所定パターンに基づいて、前記第１パイロットストリームクラスタに対する前記２個のパイロットクラスタと、前記第２パイロットストリームクラスタに対する前記２個のパイロットクラスタとを割り当てるステップと、
をさらに含むことを特徴とする請求項１に記載の方法。
【請求項５】
前記２個のパイロットクラスタを割り当てるステップにおいて、
第１フレーム構造において、前記第１パイロットストリームクラスタに対して前記第１パイロットクラスタを、ＯＦＤＭ符号の第１部分におけるサブキャリアの第１部分に割り当てると同時に、前記第１パイロットストリームクラスタに対して前記第２パイロットクラスタを、前記ＯＦＤＭ符号の第２部分におけるサブキャリアの第２部分に割り当てるステップと、
第１フレーム構造において、前記第２パイロットストリームクラスタに対して前記第１パイロットクラスタを、前記ＯＦＤＭ符号の第２部分におけるサブキャリアの第１部分に割り当てると同時に、前記第２パイロットストリームクラスタに対して前記第２パイロットクラスタを、前記ＯＦＤＭ符号の第１部分におけるサブキャリアの第２部分に割り当てるステップと、
をさらに含むことを特徴とする請求項４に記載の方法。
【請求項６】
前記複数のパイロットストリームの数が８である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別の１個のパイロットストリームクラスタは、第３パイロットストリームと、第４パイロットストリームと、第７パイロットストリームと、第８パイロットストリームとを含むことを特徴とする請求項４に記載の方法。
【請求項７】
前記複数のパイロットストリームの数が７である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別のパイロットストリームクラスタは、第３パイロットストリームと、第４パイロットストリームと、第７パイロットストリームとを含むことを特徴とする請求項４に記載の方法。
【請求項８】
前記複数のパイロットストリームの数が６である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別のパイロットストリームクラスタは、第３パイロットストリームと、第４パイロットストリームとを含むことを特徴とする請求項４に記載の方法。
【請求項９】
前記複数のパイロットストリームの数が５である場合において、
前記２個のパイロットストリームクラスタのうちの１個のパイロットストリームクラスタは、第１パイロットストリームと、第２パイロットストリームと、第５パイロットストリームとを含むと同時に、
前記２個のパイロットストリームクラスタのうちの別のパイロットストリームクラスタは、第３パイロットストリームと、第４パイロットストリームとを含むことを特徴とする請求項４に記載の方法。
【請求項１０】
前記第２フレーム構造におけるパイロット同士との間の相対的位置は、前記第１フレーム構造における前記パイロット同士との間の相対的位置と同じであることを特徴とする請求項４に記載の方法。
【請求項１１】
前記第１パイロットストリームクラスタのために、前記第２パイロットクラスタの前記パイロットを並べ替えるステップをさらに含むことを特徴とする請求項５に記載の方法。
【請求項１２】
前記第２パイロットストリームクラスタのために、前記第２パイロットクラスタの前記パイロットを並べ替えるステップをさらに含むことを特徴とする請求項５に記載の方法。
【請求項１３】
保留部分の所定パターンは、下記の数式（１−２）、（１−３）、（１−４）または（１−５）によって定義することを特徴とする請求項４に記載の方法。
【数１−２】
2010158010.tif 000013
【数１−３】
2010158010.tif 000014
【数１−４】
2010158010.tif 000015
【数１−５】
2010158010.tif 000016
（ただし、Ｎｐ,ｆは、周波数方向に隣接するリソースユニットを渡ってパイロットの数であり、ＳＦ,Ｓは、周波数方向にサブキャリアにおける短いパイロットの間隔であり、ＳＦ,Ｌは、周波数方向にサブキャリアにおける長いパイロットの間隔であり、ＮＳＣ,ｆは、周波数方向に最初パイロットと最後パイロットとの間のサブキャリアにおけるパイロットの間隔であり、ＮＳＦ,Ｓは、短いパイロットの間隔の単位数であり、ＮＳＦ,Ｌは、長いパイロットの間隔の単位数である。）
【請求項１４】
前記第１フレーム構造における前記第２パイロットストリームクラスタの前記第２パイロットクラスタと、前記第２フレーム構造における前記第１パイロットストリームクラスタの前記第１パイロットクラスタは、偶数の前記サブキャリアを単位として、分離していることを特徴とする請求項５に記載の方法。
【請求項１５】
直交周波数分割多重方式（ＯＦＤＭ）変調を用いる多入力多出力（ＭＩＭＯ）アンテナシステムにおいて、複数のパイロットストリームを伝送するに用いるパイロットの割り当て方法であって、
時間ドメインにおるＯＦＤＭ符号と周波数ドメインにおるサブキャリアとを含む２個の隣接するフレーム構造を提供するステップと、
前記複数のパイロットストリームを２個のパイロットストリームクラスタにグループ分けるステップと、
１個のフレーム構造に、各前記複数のパイロットストリームに対して２個のパイロットを提供し、各前記２個のパイロットストリームクラスタに対するパイロットサブキャリアから、前記２個のパイロットクラスタを形成するステップと、
第１フレーム構造において、第１パイロットストリームクラスタに対して第１パイロットクラスタを、ＯＦＤＭ符号の第１部分におけるサブキャリアの第１部分に割り当てると同時に、前記第１パイロットストリームクラスタに対して第２パイロットクラスタを、ＯＦＤＭ符号の第２部分における前記サブキャリアの第２部分に割り当てるステップと、
第１フレーム構造において、第２パイロットストリームクラスタに対して前記第１パイロットクラスタを、前記ＯＦＤＭ符号の前記第２部分における前記サブキャリアの前記第１部分に割り当てると同時に、前記第２パイロットストリームクラスタに対して前記第２パイロットクラスタを、前記ＯＦＤＭ符号の前記第１部分における前記サブキャリアの前記第２部分に割り当てるステップと、
前記第１フレーム構造の前記パイロット割り当てに基づいて、前記第２フレーム構造における前記２個のパイロットを割り当てるステップと、
を含むパイロットの割り当て方法。
【請求項１６】
前記第１フレーム構造における前記第２パイロットストリームクラスタの前記第２パイロットクラスタと、前記第２フレーム構造における前記第１パイロットストリームクラスタの前記第１パイロットクラスタは、偶数の前記サブキャリアを単位として、分離していることを特徴とする請求項１５に記載の方法。
【請求項１７】
前記複数のパイロットストリームの数が８である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別の１個のパイロットストリームクラスタは、第３パイロットストリームと、第４パイロットストリームと、第７パイロットストリームと、第８パイロットストリームとを含むことを特徴とする請求項１５に記載の方法。
【請求項１８】
前記複数のパイロットストリームの数が７である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別のパイロットストリームクラスタは、第３パイロットストリームと、第４パイロットストリームと、第７パイロットストリームとを含むことを特徴とする請求項１５に記載の方法。
【請求項１９】
前記複数のパイロットストリームの数が６である場合において、
前記２つパイロットストリームクラスタのうちの１個のパイロットストリームクラスタは、第１パイロットストリームと、第２パイロットストリームと、第５パイロットストリームと、第６パイロットストリームとを含むと同時に、
前記２つパイロットストリームクラスタののうちの別のパイロットストリームクラスタは、第３パイロットストリームと、第４パイロットストリームとを含むことを特徴とする請求項１５に記載の方法。
【請求項２０】
前記複数のパイロットストリームの数が５である場合において、
前記２個のパイロットストリームクラスタのうちの１個のパイロットストリームクラスタは、第１パイロットストリームと、第２パイロットストリームと、第５パイロットストリームとを含むと同時に、
前記２個のパイロットストリームクラスタのうちの別のパイロットストリームクラスタは、第３パイロットストリームと、第４パイロットストリームとを含むことを特徴とする請求項１５に記載の方法。
【請求項２１】
前記第２フレーム構造におけるパイロット同士との間の相対的位置は、前記第１フレーム構造における前記パイロット同士との間の相対的位置と同じであることを特徴とする請求項１５に記載の方法。
【請求項２２】
前記第１パイロットストリームクラスタのために、前記第２パイロットクラスタのパイロットを並べ替えるステップをさらに含むことを特徴とする請求項１５に記載の方法。
【請求項２３】
前記第２パイロットストリームクラスタのために、前記第２パイロットクラスタのパイロットを並べ替えるステップをさらに含むことを特徴とする請求項１５に記載の方法。
【請求項２４】
直交周波数分割多重方式（ＯＦＤＭ）変調を用いる多入力多出力（ＭＩＭＯ）アンテナシステムにおいて、８個のパイロットストリームを伝送するに用いるパイロットパターンであって、
時間ドメインにおる６個のＯＦＤＭ符号と周波数ドメインにおる３６個のサブキャリアを有し、
第１符号上の第２サブキャリアと第２３サブキャリアに配置し、または第５符号上の第１３サブキャリアと第３４サブキャリアに配置する第１パイロットストリームに対する前記パイロットと、
前記第１符号上の第３サブキャリアと第２４サブキャリアに配置し、または前記第５符号上の第１４サブキャリアと第３５サブキャリアに配置する第２パイロットストリームに対する前記パイロットと、
前記第１符号上の前記第１３サブキャリアと前記第３４サブキャリアに配置し、または前記第５符号上の第２サブキャリアと前記第２３サブキャリアに配置する第３パイロットストリームに対する前記パイロットと、
前記第１符号上の前記第１４サブキャリアと前記第３５サブキャリアに配置し、または前記第５符号上の前記第３サブキャリアと前記第２４サブキャリアに配置する第４パイロットストリームに対する前記パイロットと、
第２符号上の前記第２サブキャリアと前記第２３サブキャリアに配置し、または第６符号上の前記第１３サブキャリアと前記第３４サブキャリアに配置する第５パイロットストリームに対する前記パイロットと、
前記第２符号上の前記第３サブキャリアと前記第２４サブキャリアに配置し、または前記第６符号上の前記第１４サブキャリアと前記第３５サブキャリアに配置する第６パイロットストリームに対する前記パイロットと、
前記第２符号上の前記第１３サブキャリアと前記第３４サブキャリアに配置し、または前記第６符号上の前記第２サブキャリアと前記第２３サブキャリアに配置する第７パイロットストリームに対する前記パイロットと、
前記第２符号上の前記第１４サブキャリアと前記第３５サブキャリアに配置し、または前記第６符号上の前記第３サブキャリアと前記第２４サブキャリアに配置する第８パイロットストリームに対する前記パイロットと、
を含むパイロットパターン。
【請求項２５】
直交周波数分割多重方式（ＯＦＤＭ）変調を用いる多入力多出力（ＭＩＭＯ）アンテナシステムにおいて、８個のパイロットストリームを伝送するに用いるパイロットパターンであって、
時間ドメインにおる５個のＯＦＤＭ符号と周波数ドメインにおる３６個のサブキャリアを有し、
第１符号上の第２サブキャリアと第２３サブキャリアに配置し、または第４符号上の第１３サブキャリアと第３４サブキャリアに配置する第１パイロットストリームに対する前記パイロットと、
前記第１符号上の第３サブキャリアと第２４サブキャリアに配置し、または前記第４符号上の第１４サブキャリアと第３５サブキャリアに配置する第２パイロットストリームに対する前記パイロットと、
前記第１符号上の前記第１３サブキャリアと前記第３４サブキャリアに配置し、または前記第４符号上の前記第２サブキャリアと前記第２３サブキャリアに配置する第３パイロットストリームに対する前記パイロットと、
前記第１符号上の前記第１４サブキャリアと前記第３５サブキャリアに配置し、または前記第４符号上の前記第３サブキャリアと前記第２４サブキャリアに配置する第４パイロットストリームに対する前記パイロットと、
第２符号上の前記第２サブキャリアと前記第２３サブキャリアに配置し、または第５符号上の前記第１３サブキャリアと前記第３４サブキャリアに配置する第５パイロットストリームに対する前記パイロットと。
前記第２符号上の前記第３サブキャリアと前記第２４サブキャリアに配置し、または前記第５符号上の前記第１４サブキャリアと前記第３５サブキャリアに配置する第６パイロットストリームに対する前記パイロットと、
前記第２符号上の前記第１３サブキャリアと前記第３４サブキャリアに配置し、または前記第５符号上の前記第２サブキャリアと前記第２３サブキャリアに配置する第７パイロットストリームに対する前記パイロットと、
前記第２符号上の前記第１４サブキャリアと前記第３５サブキャリアに配置し、または第５符号上の前記第３サブキャリアと前記第２４サブキャリアに配置する第８パイロットストリームに対する前記パイロットと、
を含むパイロットパターン。
【請求項２６】
直交周波数分割多重方式（ＯＦＤＭ）変調を用いる多入力多出力（ＭＩＭＯ）アンテナシステムにおいて、８個のパイロットストリームを伝送するに用いるパイロットパターンであって、
時間ドメインにおる７個のＯＦＤＭ符号と周波数ドメインにおる３６個のサブキャリアを有し、
第１符号上の第２サブキャリアと第２３サブキャリアに配置し、または第５符号上の第１３サブキャリアと第３４サブキャリアに配置する第１パイロットストリームに対する前記パイロットと、
前記第１符号上の第３サブキャリアと第２４サブキャリアに配置し、または前記第５符号上の第１４サブキャリアと第３５サブキャリアに配置する第２パイロットストリームに対する前記パイロットと、
前記第１符号上の前記第１３サブキャリアと前記第３４サブキャリアに配置し、または前記第５符号上の前記第２サブキャリアと前記第２３サブキャリアに配置する第３パイロットストリームに対する前記パイロットと、
前記第１符号上の前記第１４サブキャリアと前記第３５サブキャリアに配置し、または前記第５符号上の前記第３サブキャリアと前記第２４サブキャリアに配置する第４パイロットストリームに対する前記パイロットと、
第２符号上の前記第２サブキャリアと前記第２３サブキャリアに配置し、または第６符号上の前記第１３サブキャリアと前記第３４サブキャリアに配置する第５パイロットストリームに対する前記パイロットと。
前記第２符号上の前記第３サブキャリアと前記第２４サブキャリアに配置し、または前記第６符号上の前記第１４サブキャリアと前記第３５サブキャリアに配置する第６パイロットストリームに対する前記パイロットと、
前記第２符号上の前記第１３サブキャリアと前記第３４サブキャリアに配置し、または前記第６符号上の前記第２サブキャリアと前記第２３サブキャリアに配置する第７パイロットストリームに対する前記パイロットと、
前記第２符号上の前記第１４サブキャリアと前記第３５サブキャリアに配置し、または第６符号上の前記第３サブキャリアと前記第２４サブキャリアに配置する第８パイロットストリームに対する前記パイロットと、
を含むパイロットパターン。
【請求項２７】
前記３６個のサブキャリアは隣接するサブキャリアであることを特徴とする請求項２４ないし２６のいずれかに記載のパイロットパターン。
【請求項２８】
多入力多出力（ＭＩＭＯ）アンテナと、
前記ＭＩＭＯアンテナと操作可能に接続するＯＦＤＭ変調装置と、
前記ＯＦＤＭ変調装置と操作可能に接続する処理装置と、
を含む直交周波数分割多重方式（ＯＦＤＭ）変調を使用する無線通信システムであって、
前記処理装置は、２個の隣接するフレーム構造を提供し、１個の前記フレーム構造にて、各複数のパイロットストリームに対する２個のパイロットを割り当て、また、各前記２個のフレーム構造は時間ドメインにおるＯＦＤＭ符号と周波数ドメインにおるサブキャリアとを含み、第２フレーム構造における前記パイロットストリームに対する割り当ては、第１フレーム構造における前記割り当てに対応する。
【請求項２９】
前記パイロットストリームは、前記ＭＩＭＯアンテナに備えるアンテナによって、伝送することを特徴とする請求項２８に記載の無線通信システム。
【請求項３０】
前記処理装置はさらに、パイロットストリームを２個のパイロットストリームクラスタにグループ分けると同時に、各前記パイロットストリームクラスタに対してパイロットを２個のパイロットクラスタにグループ分け、前記パイロット割り当てに対して保留部分の所定パターンに基づいて、第１パイロットストリームクラスタと第２パイロットストリームクラスタに対して前記パイロットクラスタを割り当てることを特徴とする請求項２８に記載の無線通信システム。
【請求項３１】
前記処理装置はさらに、
前記第１フレーム構造において、前記第１パイロットストリームクラスタに対して前記第１パイロットクラスタを、前記ＯＦＤＭ符号の第１部分におけるサブキャリアの第１部分に割り当てると同時に、前記第１パイロットストリームクラスタに対して前記第２パイロットクラスタを、前記ＯＦＤＭ符号の第２部分における前記サブキャリアの第２部分に割り当てることと、
前記第１フレーム構造において、前記第２パイロットストリームクラスタに対して前記第１パイロットクラスタを、前記ＯＦＤＭ符号の前記第２部分における前記サブキャリアの第１部分に割り当てると同時に、前記パイロットストリームクラスタに対して前記第２パイロットクラスタを、前記ＯＦＤＭ符号の前記第１部分における前記サブキャリアの前記第２部分に割り当てることを特徴とする請求項３０に記載の無線通信システム。
【請求項３２】
前記処理装置はさらに、前記第１パイロットストリームクラスタのために、前記第２パイロットクラスタの前記パイロットを再び並べ替えることを特徴とする請求項３１に記載の無線通信システム。
【請求項３３】
前記処理装置はさらに、前記第２パイロットストリームクラスタのために、前記第２パイロットクラスタの前記パイロットを再び並べ替えることを特徴とする請求項３１に記載の無線通信システム。
【請求項３４】
前記複数のパイロットストリームの数が８である場合において、
前記２個のパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタのうちの別の１個のパイロットストリームクラスタは、第３パイロットストリームと、第４パイロットストリームと、第７パイロットストリームと、第８パイロットストリームとを含むことを特徴とする請求項３０に記載の無線通信システム。
【請求項３５】
前記複数のパイロットストリームの数が７である場合において、
前記２個のパイロットストリームクラスタのうちの１個のパイロットストリームクラスタは、第１パイロットストリームと、前記第２パイロットストリームと、前記第５パイロットストリームと、前記第６パイロットストリームとを含むと同時に、
前記２個のパイロットストリームクラスタのうちの別のパイロットストリームクラスタは、第３パイロットストリームと、第４パイロットストリームと、第７パイロットストリームとを含むことを特徴とする請求項３０に記載の無線通信システム。
【請求項３６】
前記複数のパイロットストリームの数が６である場合において、
前記２つパイロットストリームクラスタのうちの１個のパイロットストリームクラスタは、第１パイロットストリームと、第２パイロットストリームと、第５パイロットストリームと、第６パイロットストリームとを含むと同時に、
前記２個のパイロットストリームクラスタの農地の別のパイロットストリームクラスタは、第３パイロットストリームと、第４パイロットストリームとを含むことを特徴とする請求項３０に記載の無線通信システム。
【請求項３７】
前記第２フレーム構造におけるパイロット同士との間の相対的位置は、前記第１フレーム構造における前記パイロット同士との間の相対的位置と同じであることを特徴とする請求項３０または請求項３１に記載の無線通信システム。
【請求項３８】
保留部分の前記所定パターンは、下記の数式（１−２）、（１−３）、（１−４）または（１−５）によって定義することを特徴とする請求項３０に記載の無線通信システム。
【数１−２】
2010158010.tif 000017
【数１−３】
2010158010.tif 000018
【数１−４】
2010158010.tif 000019
【数１−５】
2010158010.tif 000020
（ただし、Ｎｐ,ｆは、周波数方向に隣接するリソースユニットを渡ってパイロットの数であり、ＳＦ,Ｓは、周波数方向にサブキャリアにおける短いパイロットの間隔であり、ＳＦ,Ｌは、周波数方向にサブキャリアにおける長いパイロットの間隔であり、ＮＳＣ,ｆは、周波数方向に最初パイロットと最後パイロットとの間のサブキャリアにおけるパイロットの間隔であり、ＮＳＦ,Ｓは、短いパイロットの間隔の単位数であり、ＮＳＦ,Ｌは、長いパイロットの間隔の単位数である。）
【請求項３９】
前記複数のパイロットストリームの数が８であり、各フレーム構造の前記サブキャリアの数が１８であり、各フレーム構造の前記ＯＦＤＭ符号の数が６である場合において、
第１パイロットストリームに対する前記パイロットを、第１符号上の第２サブキャリアと第２３サブキャリアに配置し、または第５符号上の前記第１３サブキャリアと前記第３４サブキャリアに配置し、
第２パイロットストリームに対して前記パイロットを、前記第１符号上の第３サブキャリアと第２４サブキャリアに配置し、または前記第５符号上の第１４サブキャリアと第３５サブキャリアに配置し、
第３パイロットストリームに対して前記パイロットを、前記第１符号上の前記第１３サブキャリアと前記第３４サブキャリアに配置し、または前記第５符号上の前記第２サブキャリアと前記第２３サブキャリアに配置し、
第４パイロットストリームに対して前記パイロットを、前記第１符号上の前記第１４サブキャリアと前記第３５サブキャリアに配置し、または前記第５符号上の前記第３サブキャリアと前記第２４サブキャリアに配置し、
第５パイロットストリームに対して前記パイロットを、第２符号上の前記第２サブキャリアと前記第２３サブキャリアに配置し、または第６符号上の前記第１３サブキャリアと前記第３４サブキャリアに配置し、
第６パイロットストリームに対して前記パイロットを、前記第２符号上の前記第３サブキャリアと前記第２４サブキャリアに配置し、または前記第６符号上の前記第１４サブキャリアと前記第３５サブキャリアに配置し、
第７パイロットストリームに対して前記パイロットを、前記第２符号上の前記第１３サブキャリアと前記第３４サブキャリアに配置し、または前記第６符号上の前記第２サブキャリアと前記第２３サブキャリアに配置し、
第８パイロットストリームに対して前記パイロットを、前記第２符号上の前記第１４サブキャリアと前記第３５サブキャリアに配置し、または前記第６符号上の前記第３サブキャリアと前記第２４サブキャリアに配置することを特徴とする請求項２８に記載の無線通信システム。
【請求項４０】
前記複数のパイロットストリームの数が８であり、各フレーム構造の前記サブキャリアの数が１８であり、各フレーム構造の前記ＯＦＤＭ符号の数が５である場合において、
第１パイロットストリームに対して前記パイロットを、第１符号上の第２サブキャリアと第２３サブキャリアに配置し、または第４符号上の第１３サブキャリアと第３４サブキャリアに配置し、
第２パイロットストリームに対して前記パイロットを、前記第１符号上の第３サブキャリアと第２４サブキャリアに配置し、または前記第４符号上の第１４サブキャリアと第３５サブキャリアに配置し、
第３パイロットストリームに対して前記パイロットを、前記第１符号上の前記第１３サブキャリアと前記第３４サブキャリアに配置し、または前記第４符号上の前記第２サブキャリアと前記第２３サブキャリアに配置し、
第４パイロットストリームに対して前記パイロットを、前記第１符号上の前記第１４サブキャリアと前記第３５サブキャリアに配置し、または前記第４符号上の前記第３サブキャリアと前記第２４サブキャリアに配置し、
第５パイロットストリームに対して前記パイロットを、第２符号上の前記第２サブキャリアと前記第２３サブキャリアに配置し、または第５符号上の前記第１３サブキャリアと前記第３４サブキャリアに配置し、
第６パイロットストリームに対して前記パイロットを、前記第２符号上の前記第３サブキャリアと前記第２４サブキャリアに配置し、または前記第５符号上の前記第１４サブキャリアと前記第３５サブキャリアに配置し、
第７パイロットストリームに対して前記パイロットを、前記第２符号上の前記第１３サブキャリアと前記第３４サブキャリアに配置し、または前記第５符号上の前記第２サブキャリアと前記第２３サブキャリアに配置し、
第８パイロットストリームに対して前記パイロットを、前記第２符号上の前記第１４サブキャリアと前記第３５サブキャリアに配置し、または前記第５符号上の前記第３サブキャリアと前記第２４サブキャリアに配置することを特徴とする請求項２８に記載の無線通信システム。
【請求項４１】
前記複数のパイロットストリームの数が８であり、各フレーム構造の前記サブキャリアの数が１８であり、各フレーム構造の前記ＯＦＤＭ符号の数が７である場合において、
第１パイロットストリームに対して前記パイロットを、第１符号上の第２サブキャリアと第２３サブキャリアに配置し、または第５符号上の第１３サブキャリアと第３４サブキャリアに配置し、
第２パイロットストリームに対して前記パイロットを、前記第１符号上の第３サブキャリアと第２４サブキャリアに配置し、または前記第５符号上の第１４サブキャリアと第３５サブキャリアに配置し、
第３パイロットストリームに対して前記パイロットを、前記第１符号上の前記第１３サブキャリアと前記第３４サブキャリアに配置し、または前記第５符号上の前記第２サブキャリアと前記第２３サブキャリアに配置し、
第４パイロットストリームに対して前記パイロットを、前記第１符号上の前記第１４サブキャリアと前記第３５サブキャリアに配置し、または前記第５符号上の前記第３サブキャリアと前記第２４サブキャリアに配置し、
第５パイロットストリームに対して前記パイロットを、第２符号上の前記第２サブキャリアと前記第２３サブキャリアに配置し、または第６符号上の前記第１３サブキャリアと前記第３４サブキャリアに配置し、
第６パイロットストリームに対して前記パイロットを、前記第２符号上の前記第３サブキャリアと前記第２４サブキャリアに配置し、または前記第６符号上の前記第１４サブキャリアと前記第３５サブキャリアに配置し、
第７パイロットストリームに対して前記パイロットを、前記第２符号上の前記第１３サブキャリアと前記第３４サブキャリアに配置し、または前記第６符号上の前記第２サブキャリアと前記第２３サブキャリアに配置し、
第８パイロットストリームに対して前記パイロットを、前記第２符号上の前記第１４サブキャリアと前記第３５サブキャリアに配置し、または前記第６符号上の前記第３サブキャリアと前記第２４サブキャリアに配置することを特徴とする請求項２８に記載の無線通信システム。
【発明の詳細な説明】
【技術分野】
【０００１】
本発明は、一種のパイロット割り当てを用いる無線通信システム、方法及びそのパイロットパターンに関し、特に、一種の直交周波数分割多重方式（ＯＦＤＭ）変調を用いる多入力多出力（ＭＩＭＯ）アンテナシステムにおける複数のパイロットストリームに適するパイロットサブキャリアの割り当て方法に関する。
【背景技術】
【０００２】
最近、次世代無線通信システム分野における研究と開発を努力する目的としては、現在のシステムより高速なデータ伝送速度を提供することである。一般に、時間と周波数との初期同期、セル識別及びチャンネル推定を実行するには、通常に高速なデータ伝送速度の無線通信装置とシステムにある参照信号またはパイロット符号を使用する。チャンネル推定は、信号の歪みを補正するプロセスを表し、その信号の歪みは、伝伝送号をフェージング（ｆａｄｉｎｇ）するや復元（ｒｅｓｔｏｒｉｎｇ）するように急速な環境の変化がために生成する。直交周波数分割多重方式（ＯＦＤＭ）システムに対して、特に、参照信号またはパイロット符号では、所定の信号シークエンスがあるデータストリームの時間ドメインまたは周波数ドメインにおる所定位置に挿入したことを参照し、また通信装置では、データストリームを受信した後に、参照信号またはパイロット符号が検出でき、さらに時間と周波数の同期を実行し、チャンネル情報を測定し、干渉軽減または干渉除去を行う。
【０００３】
多入力多出力（ＭＩＭＯ）アンテナ技術においては、有効にデータの伝送／受信の効率を向上するために、マルチ伝送アンテナ及びマルチ受信アンテナを使用している。ＭＩＭＯシステムにおいて、１個の信号は１個のチャンネルを経由して、各アンテナに対応する。より多くのアンテナは、より多くの参照信号またはパイロット符号を必要とし、しかし、パイロットオーバ位置（ｏｖｅｒ−ｌｏｃａｔｉｏｎ）は、より多くのチャンネルを占有するし、データを伝送するチャンネルの数量も減少する。そして、深刻なパイロットのオーバーヘッドを発生すると、伝送速度が低減する。その結果、マルチアンテナへの対応を考慮した上、パイロット同士を適宜に配置することが必要とする。
【発明の概要】
【発明が解決しようとする課題】
【０００４】
従来技術において、異なるパイロット割り当てる構造がすでに設計または使用されていた。一例として、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｉｎｇ，電気電子技術者協会）８０２．１６ｅシステムにおいては、パイロット同士が、時間ドメインにおいて、互いに分離しておる。しかしながら、パイロット構造に関し、いくつかの設計上の注意点について議論したが、直交周波数分割多重方式（ＯＦＤＭ）変調を用いる多入力多出力（ＭＩＭＯ）アンテナシステムにおける適用するパイロット構造またはパターンの設計上に関する系統的解き方はいまだに欠けている。
【課題を解決するための手段】
【０００５】
したがって、本発明の目的は、複数のパイロットストリームを伝送できるし、よりよい伝送速度を達成できるし、直交周波数分割多重方式（ＯＦＤＭ）変調を用いる多入力多出力（ＭＩＭＯ）アンテナシステムにおけるも適用できる効率的にパイロットを割り当て方法を提供することである。
【０００６】
本発明の目的を実現するには、ＯＦＤＭ変調を用いるＭＩＭＯアンテナシステムにおいて、複数のパイロットストリームを伝送するに用いるパイロットを割り当て方法を提供することである。その方法は、以下のステップを含む。まず、２個の隣接するフレーム構造を提供する。また、各フレーム構造においては、時間ドメインにおるＯＦＤＭ符号及び周波数ドメインにおるサブキャリアを含む。１個のフレーム構造において、各パイロットストリームに対して２個のパイロットを提供する。次に、パイロットストリームにおるパイロット同士を第１フレーム構造に割り当てから、第１フレーム構造のパイロット割り当てに基づいて、第２フレーム構造におけるパイロットストリームにおるパイロット同士を割り当てる。
【０００７】
本発明の目的を実現するには、ＯＦＤＭ変調を用いるＭＩＭＯアンテナシステムにおいて、複数のパイロットストリームを伝送するパイロットを割り当て方法を提供することである。その方法は、以下のステップを含む。まず、２個の隣接するフレーム構造を提供する。また、各フレーム構造においては、時間ドメインにおるＯＦＤＭ符号及び周波数ドメインにおいるサブキャリアを含む。そのパイロットストリームは、２個のパイロットストリームクラスタにグループ分ける。１個のフレーム構造においては、各パイロットストリームに対して２個のパイロットを提供し、また、各パイロットストリームクラスタに対するパイロットサブキャリアは、２個のパイロットクラスタを形成する。第１フレーム構造において、第１パイロットストリームクラスタに対して第１パイロットクラスタを、ＯＦＤＭ符号の第１部分におけるサブキャリアの第１部分に割り当て、第１パイロットストリームクラスタに対して第２パイロットクラスタを、ＯＦＤＭ符号の第２部分におけるサブキャリアの第２部分に割り当てる。また、第１フレーム構造において、第２パイロットストリームクラスタに対して第１パイロットクラスタを、ＯＦＤＭ符号の第２部分におけるサブキャリアの第１部分に割り当て、第２パイロットストリームクラスタに対して第２パイロットクラスタを、ＯＦＤＭ符号の第１部分におけるサブキャリアの第２部分に割り当てる。第２フレーム構造におけるパイロット同士は、第１フレーム構造におけるパイロットを割り当てる方式に基づいて、配置される。第１フレーム構造における第２パイロットストリームクラスタに対する第２パイロットクラスタ及び第２フレーム構造における第１パイロットストリームクラスタに対する第１パイロットクラスタは、偶数のサブキャリアを単位として、分離している。
本発明をより完全に理解するために、その目的及び利点について以下の明細書及び添付図面が参照される。本発明の別の特徴及び利点は続く詳細な説明に示される。
【図面の簡単な説明】
【０００８】
【図１】本発明による伝送機及び受信機を示すブロック図である。
【図２】ＯＦＤＭ方式の１個のフレーム構造を示す例示図である。
【図３】本発明によるＯＦＤＭ変調を用いるＭＩＭＯアンテナシステムにおいて、複数のパイロットストリームを伝送するに対してパイロットを割り当て方法を示す流れ図である。
【図４】本発明の１個の実施態様によるＯＦＤＭ変調を用いるＭＩＭＯアンテナシステムにおいて、複数のパイロットストリームを伝送するに対してパイロットを割り当て方法を示す流れ図である。
【図５】ＯＦＤＭ変調方式による隣接するフレーム構造におけるパイロットを割り当てる保留部分のセットを示す例示図である。
【図６】ＯＦＤＭ変調方式による隣接するフレーム構造におけるパイロットを割り当てる保留部分の位置の決定を示す概略図である。
【図７】６個のＯＦＤＭ符号を有するサブフレームにおける８個のパイロットストリームに対するパイロットパターンを示す例示図である。
【図８】５個のＯＦＤＭ符号及び７個のＯＦＤＭ符号を有するサブフレームにおける８個のパイロットストリームに対するパイロットパターン示す例示図である。
【図９】ＯＦＤＭ変調方式による隣接するフレーム構造において、パイロットを割り当てることに対する保留部分のセットを示す別の例示図である。
【図１０】６個のＯＦＤＭ符号を有するサブフレームにおける別の８個のパイロットストリームに対するパイロットパターンを示す例示図である。
【図１１】５個のＯＦＤＭ符号を有するサブフレームにおける別の８個のパイロットストリームに対するパイロットパターンを示す例示図である。
【図１２】７個のＯＦＤＭ符号を有するサブフレームにおける別の８個のパイロットストリームに対するパイロットパターンを示す例示図である。
【図１３】６個のＯＦＤＭ符号を有するサブフレームにおける別の８個のパイロットストリームに対するパイロットパターンを示す例示図である。
【図１４】６個のＯＦＤＭ符号を有するサブフレームにおける７個のパイロットストリームに対するパイロットパターンを示す例示図である。
【図１５】６個のＯＦＤＭ符号を有するサブフレームにおける６個のパイロットストリームに対するパイロットパターンを示す例示図である。
【図１６】６個のＯＦＤＭ符号を有するサブフレームにおける５個のパイロットストリームに対するパイロットパターンを示す例示図である。
【発明を実施するための形態】
【０００９】
以下の詳細な説明において、添附図面に形成する一部構造を参照しながら、本発明による特定な実施態様を図面にて表示する。この分野における通常の技術を有する者は、この発明の範囲及び精神から逸脱しない構造的な変更電気的な変更や手順の変更及び修正を行うことができることを理解するであろう。図面にて、同一部品または類似な部品には可能な限り、同一参照符号を付ける。
【００１０】
図１は、本発明による伝送機及び受信機を示すブロック図である。この図において、伝送機１００は、データ処理装置１０１、サブキャリアアロケータ１０２及び直交周波数分割多重（ＯＦＤＭ）変調器１０３を含み、受信機１２０は、データ処理装置１２１、チャンネル推定器１２２及びＯＦＤＭ復調器１２３を含む。１個の無線通信網において、符号分割多元接続（ＣＤＭＡ）広帯域符号分割多元接続（ＷＣＤＭＡ）、無線｛むせん｝LAN（ワイヤレスのローカルエリアネットワーク，ＷＬＡＮ）、ワイマックス（ＷｉＭＡＸ）またはＯＦＤＭのようなさまざまなシステムを使用しているほかに、少なくとも１個の基地局及び少なくとも１個の端末を含んでもよい。端末は、伝送機１００と受信機１２０との間に信号伝送に基づいて、端末と基地局との間に構成した下りリンク（ＤＬ）チャンネルを介して、信号またはデータを受信し、端末と基地局との間に構成した上りリンク（ＵＬ）チャンネルを介して、信号またはデータを伝送する。
【００１１】
データ処理装置１０１は、様々な電気回路を含んでもよい、異なった機能を提供することができる。一例として、データ処理装置１０１は、予め規定したコーディング法に従って、入力データ１１１をエンコーディングし、符号化ワードを生成してから、該符号化ワードを符号にマッピングして、信号配列の位置を表示する符号を生成して、複数のアンテナ１０４を用いるＭＩＭＯ方法によって、その入力した符号を処理する。好ましいのは、データ処理装置１０１によって実行する上記のマッピングの変調方式は、ｍ−位相シフトキーイング（ｍ−ＰＳＫ）方式またはｍ−直交振幅変調（ｍ−ＱＡＭ）方式を含む。
【００１２】
サブキャリアアロケータ１０２により、処理された入力符号及びパイロット１１２をサブキャリアに割り当てる。パイロット１１２は、伝送アンテナ１０４に従って配置する。また、パイロット１１２は、伝送機１００と受信機１２０の両方とも認識しており、チャンネル推定、時間と周波数の同期、サブキャリアの周波数と位相シフト差の検出に使用される。パイロットは、参照信号とも称する。
【００１３】
ＯＦＤＭ変調器１０３は、入力符号と出力ＯＦＤＭ符号を変調することができる。ＯＦＤＭ変調器１０３は、入力符号に対して、逆高速フーリエ変換（ＩＦＦＴ）を実行し、そして、ＩＦＦＴが実行した後にサイクリックプレフィックス（ＣＰ）を挿入する。ＯＦＤＭ符号は、アンテナ１０４を介して伝送する。
【００１４】
受信機１２０がアンテナ１２４を介して受信した信号は、ＯＦＤＭ復調器１２３によって高速フーリエ変換（ＦＦＴ）した信号である。チャンネル推定器１２２は、受信したパイロット１１２を用いて、チャンネルを推定する。データ処理装置１２１は、入力符号を符号化ワードにデマッピングし、それから、符号化ワードを復号し、符号化｛あんごうか｝されたデータを元の形のデータに復元｛ふくげん｝することができる。
【００１５】
データ処理装置１０１とサブキャリアアロケータ１０２とは、独立した部品で実施してもよい、またはサブキャリアアロケータ１０２とデータ処理装置１０１を１個の演算処理装置に整合することが好ましい。チャンネル推定器１２２とデータ処理装置１２１とは、独立した部品で実施してもよい、またはチャンネル推定器１２２とデータ処理装置１２１とを１個の演算処理装置に整合することが好ましい。
【００１６】
伝送機１００と受信機１２０はＯＦＤＭ方式を用いて、互いに通信することができる。さらに、伝送機１００と受信機１２０は、統一的なパイロットパターンまたは統一的なパイロット構造をＯＦＤＭ通信に適用できる。ここで用いる統一的なパイロット構造は、共通パイロットと専用パイロットの両方とも用いるための同一パイロット構造を参照してもよい。共通パイロットは、すなわちすべての使用者が利用できるパイロットであり、一方、専用パイロットは、すなわち、特定の一人または特定の複数の使用者に限って利用できるパイロットである。統一的なパイロット構造は、ＤＬ伝送とＵＬ伝送との両方とも用いられる同一パイロット構造を参照してもよい。さらに、統一的なパイロット構造は、異なる操作環境事情において、系統的に設計した一連のパイロットパターンを参照してもよい。上記の異なる操作環境事情は、たとえば、異なる数のデータストリームを使用したこと、異なるサイズのリソースユニット（ＲＵ）を使用したこと、及び／または、異なる基地局と無線セル構成を使用したことなどが挙げられる。
【００１７】
図２は、ＯＦＤＭ方式の１個のフレーム構造を示す例示図である。図２に示すように、縦軸が周波数を、横軸が時間をそれぞれ表示する場合、ＯＦＤＭデータ伝送は、時間と周波数との両方とも表示することができる。フレーム構造２００は、リソースユニット（ＲＵ）とも呼ばれ、サブフレームが６個のＯＦＤＭ符号を包含する場合、１８個のサブキャリア（縦軸）ｘ６個のＯＦＤＭ符号（縦軸）を含む。ＯＦＤＭデータは、１個のタイムスロット（１個のＯＦＤＭ符号に相当する。）におけるサブキャリア（周波数帯域に相当する。）の上におるフレーム構造２００内におる１個のリソース素子２０１によって伝送することができる。フレーム構造２００は、リソースを割り当てるための基本単位を参照してもよい。その基本単位において、所定の数の隣接するＯＦＤＭ符号に基づいて、得られた所定の数の隣接のサブキャリアを含む基本単位であってもよい。基本的なリソースユニットは、１８個のサブキャリアと６個の符号（１８ｘ６）データブロックを含む。ただし、本発明に係るパイロットの割り当て方法は、その他のリソースユニットにも適用できる。例えば、図８に示すように、リソースユニットは、１８個のサブキャリアと５個の符号（１８ｘ５）データブロックを含み、または１８個のサブキャリアと７個の符号（１８ｘ７）データブロックを含んでもでもよい。
【００１８】
各符号（ＲＵ２００における小さい矩形で示す）は、いずれかのタイプの情報を搬送するに使用することができる。たとえば、データ符号はデータを搬送し、パイロット符号はパイロットを搬送する。しかしながら、パイロット符号を増加すれば、データ符号の数を減少する可能性があるため、オーバーヘッド（ｏｖｅｒｈｅａｄ）を最少量に維持することで、スペクトル効率とデータ伝送速度に影響を与えないようにする場合に、パイロット符号を使用して、強固な強いチャンネル推定を提供することができるように、追加するオーバーヘッドの間にトレードオフ（ｔｒａｄｅｏｆｆ）手段を導入することが好ましいである。この種のトレードオフ手段は、ＭＩＭＯ方式において、より複雑になってくる。その原因としては、ＭＩＭＯ方式において、複数のアンテナを使用し、かつ複数のデータストリームまたは無線（Ｒａｄｉｏ）／無線（Ｗｉｒｅｌｅｓｓ）信号が特定の時間と位置に共存する場合がある。
【００１９】
基本的に、通信リンクにおるスループットηは、無線通信基準において、以下の数式のように示される。
【数１−１】
2010158010.tif 000003
【表１】
2010158010.tif 000004
【００２０】
帯域幅を１０ＭＨｚ（ＢＷ＝１０ＭＨｚ）で提供し、サブフレームの伝送時間を（５ｘ１０−３）/８秒（ＴＳＦ＝（５ｘ１０−３）/８）で提供し、変調オーダーを６（ｍ＝６）で提供し、各データストリームに対してチャンネル符号化速度を２３７/２５６（Ｒc ＝２３７/２５６）で提供し、各サブフレームに対し４８個のＲＵｓ（ＮＲＵ,ＳＦ＝４８）で提供し、ＲＵは１８個のサブキャリアと６個の符号（１８ｘ６）データブロックを含むＲＵであり、各データストリームに対して３個のパイロット（ＮＰ,ＲＵ＝３ｘ８）を提供した場合に、８ｘ８ＭＩＭＯアンテナシステムを使用した無線通信システムにおいては、８個のデータストリーム（Ｍ＝８）を同時に伝送することが可能である。その無線通信システムにおける下りリンク伝送のスループットは、数式（１−１）により、算出できる。
2010158010.tif 000005
【００２１】
２個のパイロットに対して各データストリームを提供する場合（ＮＰ,ＲＵ＝２ｘ８）、その無線通信システムにおける下りリンク伝送のスループットは、数式（１−１）により、算出できる。
2010158010.tif 000006
【００２２】
４Ｇ無線通信基準などの先進の無線通信基準に基づいて、１個のデータストリームに対して３個のパイロットの割り当て配置は、下りリンク伝送のスループットを３０ｂｐｓ／Ｈｚ以下に軽減する。１個のＲＵにおける各データストリームに対して２個のパイロットを使用している場合、下りリンク伝送のスループットは、先進の無線通信基準の要求を満たすことができる。
【００２３】
要求される高速なスループットを達成するとチャンネル推定を実行するために、１個または２個の隣接するフレーム構造に各データストリームに対して２個のパイロットを使用している。図３は、本発明によるＯＦＤＭ変調を用いるＭＩＭＯアンテナシステムにおいて、複数のパイロットストリームを伝送するに対してパイロットを割り当て方法を示す流れ図である。この図において、その方法は以下のステップを含む。ステップ３１によれば、２個の隣接するフレーム構造を提供し、各フレーム構造においては、図２に示すように時間ドメインにおるＯＦＤＭ符号及び周波数ドメインにおるサブキャリアを含む。ステップ３２によれば、各パイロットストリームに対して提供した２個のパイロットを、第１フレーム構造に割り当ている。たとえば、ＯＦＤＭ変調を用いるＭＩＭＯアンテナシステムを、８個のデータストリームを同時に伝送するに用いる場合、合計１６個のパイロットが１個のフレーム構造に割り当ている。
【００２４】
ステップ３３によれば、第１フレーム構造におけるパイロットを割り当てる方式に基づいて、第２フレーム構造における各パイロットストリームに対して提供した２個のパイロットを割り当てる。たとえば、第２フレーム構造におけるパイロット同士との間の相対的位置は、第１フレーム構造に割り当ていたパイロットに極めて類似してもよい。パイロット割り当てのため、複数のパイロットクラスタにグループ分ける場合において、第２フレーム構造におけるパイロットクラスタの相対的位置は、第１フレーム構造のパイロットクラスタの相対的位置をコピーし得られるものまたは映し得られるが好ましいである。
【００２５】
このようなパイロット割り当て方法においては、図１に示すようなサブキャリアアロケータ１０２、またはパイロット割り当て能力を持つ処理装置によって実行することが好ましいである。
【００２６】
図４は、本発明の１個の実施態様によるＯＦＤＭ変調を用いるＭＩＭＯアンテナシステムにおいて、複数のパイロットストリームを伝送するに対してパイロットを割り当て方法を示す流れ図である。図５は、ＯＦＤＭ変調方式による隣接するフレーム構造におけるパイロットを割り当てる保留部分のセットを示す例示図である。
【００２７】
ステップ４１によれば、２個の隣接するフレーム構造を提供し、各フレーム構造においては、時間ドメインにおるＯＦＤＭ符号及びサブキャリア領域におるサブキャリアを含む。図５に示すようにフレーム構造５０及びフレーム構造５１において、６個のＯＦＤＭ符号を６個の欄で表し、３６個のサブキャリアを３６個の列で表す。
【００２８】
ステップ４２によれば、パイロットストリームは、２個のパイロットストリームクラスタにグループ分ける。たとえば、パイロットストリーム１、パイロットストリーム２、パイロットストリーム５及びパイロットストリーム６は、１個のパイロットストリームクラスタにグループ分け、そして、パイロットストリーム３、パイロットストリーム４、パイロットストリーム７及びパイロットストリーム８は、別のパイロットストリームクラスタにグループ分ける。
【００２９】
ステップ４３によれば、１個のフレーム構造においては、各パイロットストリームに対して２個のパイロットを提供すると同時に、各パイロットストリームクラスタに対してパイロットストリームクラスタから、２個のパイロットクラスタを形成する。たとえば、図５に示すように、パイロットストリーム１、パイロットストリーム２、パイロットストリーム５及びパイロットストリーム６に対するパイロット同士から、パイロットクラスタ５３１およびパイロットクラスタ５３２を形成すると同時に、パイロットストリーム３、パイロットストリーム４、パイロットストリーム７及びパイロットストリーム８に対するパイロット同士から、パイロットクラスタ５３３とパイロットクラスタ５３４を形成する。ここで、パイロットストリーム１に対するパイロット信号を‘１’で表し、パイロットストリーム２に対してパイロット信号を‘２’で表し、パイロットストリーム３に対してパイロット信号を‘３’で表し、パイロットストリーム４に対してパイロット信号を‘４’で表し、パイロットストリーム５に対してパイロット信号を‘５’で表し、パイロットストリーム２に対してパイロット信号を‘６’で表し、パイロットストリーム７に対してパイロット信号を‘７’で表し、パイロットストリーム８に対してパイロット信号を‘８’で表す。
【００３０】
ステップ４４によれば、第１フレーム構造においては、第１パイロットストリームクラスタに対して第１パイロットクラスタを、ＯＦＤＭ符号の第１部分におけるサブキャリアの第１部分に割り当て、第１パイロットストリームクラスタに対して第２パイロットクラスタを、ＯＦＤＭ符号の第２部分におけるサブキャリアの第２部分に割り当てる。たとえば、パイロットクラスタ５３１は、４個のリソース素子によって形成した部分５０１に割り当てることができ、パイロットクラスタ５３２は、４個のリソース素子によって形成して部分５０４に割り当てることができる。
【００３１】
ステップ４５によれば、第１フレーム構造において、第２パイロットストリームクラスタに対して第１パイロットクラスタを、ＯＦＤＭ符号の第２部分におけるサブキャリアの第１部分に割り当て、第２パイロットストリームクラスタに対して第２パイロットクラスタを、ＯＦＤＭ符号の第１部分におけるサブキャリアの第２部分に割り当てる。たとえば、パイロットクラスタ５３１は、部分５０１に割り当て、パイロットクラスタ５３３は、部分５０２に割り当てる。たとえば、パイロットクラスタ５３３は、４個のリソース素子によって形成した部分５０２に割り当てることができ、パイロットクラスタ５３４は、４個のリソース素子によって形成した部分５０３に割り当てることができる。
【００３２】
ステップ４６によれば、第２フレーム構造におけるパイロット同士は、第１フレーム構造におけるパイロット割り当て方式に基づいて、配置される。第２フレーム構造におけるパイロットクラスタの相対的位置は、第１フレーム構造のパイロットクラスタの相対的位置をコピーし得られることが好ましいである。たとえば、フレーム構造５０における第１パイロットパイロットストリームクラスタに対してパイロットクラスタを、部分５０１、５０４に割り当てた場合には、フレーム構造５１におけるパイロットクラスタの相対的位置は、フレーム構造５０におけるパイロットクラスタの相対的位置をコピーし得るものであってもよい。つまり、図５に示すように、フレーム構造５１における第１パイロットストリームクラスタに対してパイロットクラスタを、部分５１１、５１４に割り当てることができると同時に、フレーム構造５１における第２パイロットストリームクラスタのパイロットクラスタを部分５１２、５１３に割り当てることができる。
【００３３】
このようなパイロット割り当て方法を実施するには、図１に示すようなサブキャリアアロケータ１０２、またはパイロット割り当て能力を持つ処理装置によって実行することが好ましいである。
【００３４】
図６は、ＯＦＤＭ変調方式による隣接するフレーム構造におけるパイロットを割り当てる保留部分の位置の決定を示す概略図である。ここで注意すべきことは、図５に示すようなパイロットクラスタ同士の間の距離は、下記の数式（１−２）、（１−３）、（１−４）または（１−５）によれば、算出できる。
【数１−２】
2010158010.tif 000007
【数１−３】
2010158010.tif 000008
【数１−４】
2010158010.tif 000009
【数１−５】
2010158010.tif 000010
【表２】
2010158010.tif 000011
【００３５】
たとえば、２個の隣接するフレーム構造の数が３６である場合、ＮＳＣ,ｆを３５で定義されることができる。１個のフレーム構造において、各パイロットストリームに対して２個のパイロットを提供したがら、Ｎp,f を４で定義される。数式（１−２）の計算によれば、ＳＦ,Ｓを、
2010158010.tif 000012
で算出できる。その次に、短いパイロットの間隔の単位数であるＮＳＦ,Ｓを２（ＮＳＦ,Ｓ＝４−（３５ ｍｏｄ ３） ＝２ ）で算出できる。同時にＳＦ,Ｌを１２（ＳＦ,Ｌ＝１１＋１＝１２）で算出できる。ＮＳＦ,Ｓを１（ＮＳＦ,Ｓ＝（３５ ｍｏｄ ３）−１＝１）で算出できる。
【００３６】
所定のパイロットストリームの数が４を超える場合、例えば、５〜８であってもよい、保留したパイロットは、矩形の配置において４個のリソース素子を含む、図６に示すように、たとえば、部分５０１と部分５０３、部分５０３と部分５１１、部分５１１と部分５１３。１個のフレーム構造において、割り当てたパイロットは、４個のパイロットクラスタにグループ分けると同時に、各自に対応する保留部分に割り当てる。上記の数式と所定したパラメータによれば、部分５０１と部分５０３との間、部分５０３と部分５１１との間、または部分５１１と部分５１３との間において、サブキャリアインデックス付き周波数ドメインにおけるパイロットクラスタの増加度合いは、上から下に順番に９個のリソース素子（１１−２＝９）、１０個の（リソース素子）（１２−２＝１０）または９個のリソース素子（１１−２＝９）のような増加度合いである。
【００３７】
図７は、６個のＯＦＤＭ符号を有するサブフレームにおける８個のパイロットストリームに対してパイロットパターンを示す例示図である。図８は、５個のＯＦＤＭ符号及び７個のＯＦＤＭ符号を有するサブフレームにおける８個のパイロットストリームに対してパイロットパターン示す例示図である。図７と図８おいて、ＲＵのサイズは１８ｘ５であり、６個のＯＦＤＭ符号を６個の欄で表し、１８のサブキャリアを１８の列で表す。また、イロットストリーム１に対してパイロット符号を‘１’で表し、パイロットストリーム２に対してパイロット符号を‘２’で表し、パイロットストリーム３に対してパイロット符号を‘３’で表し、パイロットストリーム４に対してパイロット符号を‘４’で表し、パイロットストリーム５に対してパイロット符号を‘５’で表し、パイロットストリーム６に対してパイロット符号を‘６’で表し、パイロットストリーム７に対してパイロット符号を‘７’で表し、パイロットストリーム８に対してパイロット符号を‘８’で表し、また、非パイロット符号を‘０’などのデータ符号で表す。
【００３８】
同じように、図８に示すパイロットパターン（Ａ）とパイロットパターン（Ｂ）においては、５個のＯＦＤＭ符号を有するサブフレームにおける８個のパイロットストリームを８で表し、７個のＯＦＤＭ符号を有するサブフレームにおける８個のパイロットストリームを８で示す。
【００３９】
図９は、ＯＦＤＭ変調方式による隣接するフレーム構造において、パイロットを割り当てるに対する保留部分のセットを示す別の例示図である。図６に示す保留部分のセットに基づいて、保留部分の位置を必要に応じて変更することができる。図９において、リソース要素を含む部分を斜線で示したのはパイロットの割り当てために保留する部分である。例示セット（Ａ）における部分６０１〜６０４と６１１〜６１４及び例示セット（Ｂ）における部分７２１〜７２４と部分７３１〜７３４などが挙げられる。５-ストリームの構成、６-ストリームの構成、７-ストリームの構成または８-ストリームの構成を使用する通信システムにおいては、パイロット割り当てるためのこれらの例示セットの保留部分に基づいて、パイロットを割り当てることができる。
【００４０】
図１０は、６個のＯＦＤＭ符号を有するサブフレームにおける別の８個のパイロットストリームに対するパイロットパターンを示す例示図である。このパイロットパターンは、図９に示す例示セット（Ａ）に対応する。このパイロットパターンにおいては、上から下に増加するサブキャリアインデックスを示すと同時に、左から右に増加するＯＦＤＭ符号のインデックスを示す。第１パイロットストリームに対してパイロットを第１符号上の第２サブキャリアと第２３サブキャリアに配置し、または第５符号上の第１３サブキャリアと第３４サブキャリアに配置する。第２パイロットストリームに対してパイロットを第１符号上の第３サブキャリアと第２４サブキャリアに配置し、または第５符号上の第１４サブキャリアと第３５サブキャリアに配置する。第３パイロットストリームに対してパイロットを第１符号上の第１３サブキャリアと第３４サブキャリアに配置し、または第５符号上の第２サブキャリアと第２３サブキャリアに配置する。第４パイロットストリームに対してパイロットを第１符号上の第１４サブキャリアと第３５サブキャリアに配置し、または第５符号上の第３サブキャリアと第２４サブキャリアに配置する。第５パイロットストリームに対してパイロットを第２符号上の第２サブキャリアと第２３サブキャリアに配置し、または第６符号上の第１３サブキャリアと第３４サブキャリアに配置する。第６パイロットストリームに対してパイロットを第２符号上の第３サブキャリアと第２４サブキャリアに配置し、または第６符号上の第１４サブキャリアと第３５サブキャリアに配置する。第７パイロットストリームに対してパイロットを第２符号上の第１３サブキャリアと第３４サブキャリアに配置し、または第６符号上の第２サブキャリアと第２３サブキャリアに配置する。第８パイロットストリームに対してパイロットを第２符号上の第１４サブキャリアと第３５サブキャリアに配置し、または第６符号上の第３サブキャリアと第２４サブキャリアに配置する。
【００４１】
図１１は、５個のＯＦＤＭ符号を有するサブフレームにおける別の８個のパイロットストリームに対してパイロットパターンを示す例示図である。図１１に示すように、このパイロットパターンにおいては、上から下に増加するサブキャリアインデックスを示すと同時に、左から右に増加するＯＦＤＭ符号のインデックスを示す。第１パイロットストリームに対してパイロットを第１符号上の第２サブキャリアと第２３サブキャリアに配置し、または第４符号上の第１３サブキャリアと第３４サブキャリアに配置する。第２パイロットストリームに対してパイロットを第１符号上の第３サブキャリアと第２４サブキャリアに配置し、または第４符号上の第１４サブキャリアと第３５サブキャリアに配置する。第３パイロットストリームに対してパイロットを第１符号上の第１３サブキャリアと第３４サブキャリアに配置し、または第４符号上の第２サブキャリアと第２３サブキャリアに配置する。第４パイロットストリームに対してパイロットを第１符号上の第１４サブキャリアと第３５サブキャリアに配置し、または第４符号上の第３サブキャリアと第２４サブキャリアに配置する。第５パイロットストリームに対してパイロットを第２符号上の第２サブキャリアと第２３サブキャリアに配置し、または第５符号上の第１３サブキャリアと第３４サブキャリアに配置する。第６パイロットストリームに対してパイロットを第２符号上の第３サブキャリアと第２４サブキャリアに配置し、または第５符号上の第１４サブキャリアと第３５サブキャリアに配置する。第７パイロットストリームに対してパイロットを第２符号上の第１３サブキャリアと第３４サブキャリアに配置し、または第５符号上の第２サブキャリアと第２３サブキャリアに配置する。第８パイロットストリームに対してパイロットを第２符号上の第１４サブキャリアと第３５サブキャリアに配置し、または第５符号上の第３サブキャリアと第２４サブキャリアに配置する。
【００４２】
図１２は、７個のＯＦＤＭ符号を有するサブフレームにおける別の８個のパイロットストリームに対するパイロットパターンを示す例示図である。図１２に示すように、このパイロットパターンにおいては、上から下に増加するサブキャリアインデックスを示すと同時に、左から右に増加するＯＦＤＭ符号のインデックスを示す。第１パイロットストリームに対してパイロットを第１符号上の第２サブキャリアと第２３サブキャリアに配置し、または第５符号上の第１３サブキャリアと第３４サブキャリアに配置する。第２パイロットストリームに対してパイロットを第１符号上の第３サブキャリアと第２４サブキャリアに配置し、または第５符上号の第１４サブキャリアと第３５サブキャリアに配置する。第３パイロットストリームに対してパイロットを第１符号上の第１３サブキャリアと第３４サブキャリアに配置し、第５符号に対して第２サブキャリアと第２３サブキャリアに配置する。第４パイロットストリームに対してパイロットを第１符号上の第１４サブキャリアと第３５サブキャリアに配置し、または第５符号上の第３サブキャリアと第２４サブキャリアに配置する。第５パイロットストリームに対してパイロットを第２符号上の第２サブキャリアと第２３サブキャリアに配置し、または第６符号上の第１３サブキャリアと第３４サブキャリアに配置する。第６パイロットストリームに対してパイロットを第２符号上の第３サブキャリアと第２４サブキャリアに配置し、または第６符号上の第１４サブキャリアと第３５サブキャリアに配置する。第７パイロットストリームに対してパイロットを第２符号上の第１３サブキャリアと第３４サブキャリアに配置し、または第６符号上の第２サブキャリアと第２３サブキャリアに配置する。第８パイロットストリームに対してパイロットを第２符号上の第１４サブキャリアと第３５サブキャリアに配置し、または第６符号上の第３サブキャリアと第２４サブキャリアに配置する。
【００４３】
図１３は、６個のＯＦＤＭ符号を有するサブフレームにおける別の８個のパイロットストリームに対するパイロットパターンを示す例示図である。本発明に係るＯＦＤＭ変調方式を用いるＭＩＭＯアンテナシステムにおけり複数のパイロットストリームに適するパイロット割り当て方法において、パイロットストリームを２個のパイロットストリームクラスタ（図４に示すステップ４２のように）にグループ分けした後、各パイロットストリームクラスタに対してパイロットを保留部分に割り当てる。本実施例において、第１パイロットストリームクラスタに対するパイロットクラスタのパイロットは、必要に応じて再び並べ替えることがきる。
【００４４】
図１３において、パイロットクラスタ８０１、８０４、８１１と８１４のパイロットは、パイロットストリーム１、パイロットストリーム２、パイロットストリーム５とパイロットストリーム６に対するパイロットであると同時に、パイロットストリーム８０２、８０３、８１２と８１３のパイロットは、パイロットストリーム３、パイロットストリーム４、パイロットストリーム７とパイロットストリーム８のパイロットである。図１３に示すパイロットパターンと図１０に示すパイロットパターンに比べれば、パイロットクラスタ８０４と８１１のパイロットは、パイロットクラスタ８０１から並べ替えたものであると同時に、パイロットクラスタ８０３と８１２のパイロットは、パイロットクラスタ８０２から並べ替えたものである。このような並べ替え方式を図８、図１０または図１１に適用することが好ましいである。
【００４５】
図１４は、６個のＯＦＤＭ符号を有するサブフレームにおける７個のパイロットストリームに対するパイロットパターンを示す例示図である。図９に示すように、そのパイロットは例示セット（Ａ）の保留部分に割り当てたことである。図１４に示すように、パイロットストリーム１のパイロット、パイロットストリーム２のパイロット、パイロットストリーム５とパイロットストリーム６のパイロットは、それぞれパイロットクラスタ８２１、８２４、８３１と８３４にグループ分ける。パイロットストリーム３のパイロット、パイロットストリーム４のパイロットとパイロットストリーム７のパイロットは、それぞれパイロットクラスタ８２２、８２３、８３２、８３３にグループ分ける。パイロットクラスタ８２１、８２４、８３１と８３４はそれぞれ図９に示す例示セット（Ａ）の部分６０１、部分６０４、部分６１１と部分６１３に割り当てると同時に、パイロットクラスタ８２２、８２３、８３２と８３３はそれぞれ図９に示す例示セット（Ａ）の部分６０２、部分６０３、部分６１２と部分６１３に割り当てる。
【００４６】
図に示すように、このパイロットパターンにおいては、上から下に増加するサブキャリアインデックスを示すと同時に、左から右に増加するＯＦＤＭ符号のインデックスを示す。第１パイロットストリームに対してパイロットを第１符号上の第２サブキャリアと第２３サブキャリアに配置し、または第５符号上の第１３サブキャリアと第３４サブキャリアに配置する。第２パイロットストリームに対してパイロットを第１符号上の第３サブキャリアと第２４サブキャリアに配置し、または第５符号上の第１４サブキャリアと第３５サブキャリアに配置する。第３パイロットストリームに対してパイロットを第１符号上の第１３サブキャリアと第３４サブキャリアに配置し、または第５符号上の第２サブキャリアと第２３サブキャリアに配置する。第４パイロットストリームに対してパイロットを第１符号上の第１４サブキャリアと第３５サブキャリアに配置し、または第５符号に対して第３サブキャリアと第２４サブキャリアに配置する。第５パイロットストリームに対してパイロットを第２符号上の第２サブキャリアと第２３サブキャリアに配置し、または第６符号上の第１３サブキャリアと第３４サブキャリアに配置する。第６パイロットストリームに対してパイロットを第２符号上の第３サブキャリアと第２４サブキャリアに配置し、第６符号上の第１４サブキャリアと第３５サブキャリアに配置する。第７パイロットストリームに対してパイロットを第２符号上の第１３サブキャリアと第３４サブキャリアに配置し、第６符号上の第２サブキャリアと第２３サブキャリアに配置する。
【００４７】
そのようなパイロットクラスタは、図６あるいは図９に示す例示セット（Ｂ）に示すように保留部分に割り当てることが好ましいである。５個のＯＦＤＭ符号または７個のＯＦＤＭ符号を有するサブフレームにおいて、７個のパイロットストリームに対するパイロットパターンは、図８、図１１あるいは図１２に示すようなパイロットパターンで実施することが好ましいである。一部のパイロットクラスタの並べ替えることは、必要に応じて実行することが好ましいである。
【００４８】
図１５は、６個のＯＦＤＭ符号を有するサブフレームにおける５個のパイロットストリームに対するパイロットパターンを示す例示図であり、そのパイロットは、図９に示す例示セット（Ａ）の保留部分に割り当てる。図１５に示すように、パイロットストリーム１のパイロット、パイロットストリーム２のパイロット、パイロットストリーム５のパイロットとパイロットストリーム６のパイロットは、それぞれパイロットクラスタ８４１、８４３、８５２と８５３にグループ分けると同時に、パイロットストリーム３のパイロットとパイロットストリーム４のパイロットは、それぞれパイロットクラスタ８４２、８４３、８５２と８５３にグループ分ける。パイロットクラスタ８４１、８４４、８５１と８５４はそれぞれ図９に示す例示セット（Ａ）の部分６０１、部分６０４、部分６１１と部分６１３に割り当てると同時に、パイロットクラスタ８４２、８４３、８５２と８５３はそれぞれ図９に示す例示セット（Ａ）の部分６０２、部分６０３、部分６１２と部分６１３に割り当てる。
【００４９】
図に示すように、このパイロットパターンにおいては、上から下に増加するサブキャリアインデックスを示すと同時に、左から右に増加するＯＦＤＭ符号のインデックスを示す。第１パイロットストリームに対してパイロットを第１符号上の第２サブキャリアと第２３サブキャリアに配置し、または第５符号上の第１３サブキャリアと第３４サブキャリアに配置する。第２パイロットストリームに対してパイロットを第１符号上の第３サブキャリアと第２４サブキャリアに配置し、または第５符号上の第１４サブキャリアと第３５サブキャリアに配置する。第３パイロットストリームに対してパイロットを第１符号上の第１３サブキャリアと第３４サブキャリアに配置し、または第５符号上の第２サブキャリアと第２３サブキャリアに配置する。第４パイロットストリームに対してパイロットを第１符号上の第１４サブキャリアと第３５サブキャリアに配置し、または第５符号上の第３サブキャリアと第２４サブキャリアに配置する。第５パイロットストリームに対してパイロットを第２符号上の第２サブキャリアと第２３サブキャリアに配置し、または第６符号上の第１３サブキャリアと第３４サブキャリアに配置する。第６パイロットストリームに対してパイロットを第２符号上の第３サブキャリアと第２４サブキャリアに配置し、第６符号上の第１４サブキャリアと第３５サブキャリアに配置する。
【００５０】
そのようなパイロットクラスタは、図６あるいは図９に示す例示セット（Ｂ）に示すように保留部分に割り当てることが好ましいである。５個のＯＦＤＭ符号または７個のＯＦＤＭ符号を有するサブフレームにおいて、６個のパイロットストリームに対するパイロットパターンは、図８、図１１または図１２に示すようなパイロットパターンで実施することが好ましいである。一部のパイロットクラスタの並べ替えることは、必要に応じて実行することが好ましいである。
【００５１】
図１６は、６個のＯＦＤＭ符号を有するサブフレームにおける５個のパイロットストリームに対するパイロットパターンを示す例示図であり、そのパイロットは、図９に示す例示セット（Ａ）の保留部分に割り当てる。図１６に示すように、パイロットストリーム１のパイロット、パイロットストリーム２のパイロット、パイロットストリーム５のパイロットは、それぞれパイロットクラスタ８６１、８６４、８７１と８７４にグループ分けると同時に、パイロットストリーム３のパイロットとパイロットストリーム４のパイロットは、それぞれパイロットクラスタ８６２、８６３、８７２と８７３にグループ分ける。パイロットクラスタ８６１、８６４、８７１と８７４はそれぞれ図９に示す例示セット（Ａ）の部分６０１、部分６０４、部分６１１と部分６１３に割り当てると同時に、パイロットクラスタ８６２、８６３、８７２と８７３はそれぞれ図９に示す例示セット（Ａ）の部分６０２、部分６０３、部分６１２と部分６１３に割り当てる。
【００５２】
図に示すように、このパイロットパターンにおいて、上から下に増加するサブキャリアインデックスを示すと同時に、左から右に増加するＯＦＤＭ符号のインデックスを示す。第１パイロットストリームに対するパイロットを第１符号上の第２サブキャリアと第２３サブキャリアに配置し、または第５符号上の第１３サブキャリアと第３４サブキャリアに配置する。第２パイロットストリームに対するパイロットを第１符号上の第３サブキャリアと第２４サブキャリアに配置し、または第５符号上の第１４サブキャリアと第３５サブキャリアに配置する。第３パイロットストリームに対してパイロットを第１符号上の第１３サブキャリアと第３４サブキャリアに配置し、または第５符号上の第２サブキャリアと第２３サブキャリアに配置する。第４パイロットストリームに対してパイロットを第１符号上の第１４サブキャリアと第３５サブキャリアに配置し、または第５符号上の第３サブキャリアと第２４サブキャリアに配置する。第５パイロットストリームに対してパイロットを第２符号上の第２サブキャリアと第２３サブキャリアに配置し、または第６符号上の第１３サブキャリアと第３４サブキャリアに配置する。
【００５３】
このようなパイロットクラスタは、図６あるいは図９に示す例示セット（Ｂ）に示すように保留部分に割り当てることが好ましいである。５個のＯＦＤＭ符号または７個のＯＦＤＭ符号を有するサブフレームにおいて、５個のパイロットストリームに対するパイロットパターンは、図８、図１１または図１２に示すようなパイロットパターンで実施することが好ましいである。一部のパイロットクラスタの並べ替えることは、必要に応じて実行することが好ましいである。
【００５４】
本発明の趣旨及び範囲から逸脱せずに、当業者は本発明を様々な修飾と変化ができることは明らかである。よって、本発明の説明ならびにこれらに同等するものに基づいた修飾と変化は、なお本発明の範疇に含まれる。
【符号の説明】
【００５５】
５０、５１：フレーム構造
１００：伝送機
１０１：データ処理装置
１０２：サブキャリアアロケータ
１０３：直交周波数分割多重（ＯＦＤＭ）変調器
１０４：アンテナ
１１１：入力データ
１１２：パイロット
１２０：受信機
１２１：データ処理装置
１２２：チャンネル推定器
１２３：ＯＦＤＭ復調器
１２４：アンテナ
２００：フレーム構造
２０１：リソース素子
３１〜３３、４１〜４６：ステップ
５０１、５０２、５０３、５０４、５１１、５１２、５１３、５１４：部分
５３１、５３２、５３３、５３４：パイロットクラスタ
【図１】
2010158010.tif 000021
【図２】
2010158010.tif 000022
【図３】
2010158010.tif 000023
【図４】
2010158010.tif 000024
【図５】
2010158010.tif 000025
【図６】
2010158010.tif 000026
【図７】
2010158010.tif 000027
【図８】
2010158010.tif 000028
【図９】
2010158010.tif 000029
【図１０】
2010158010.tif 000030
【図１１】
2010158010.tif 000031
【図１２】
2010158010.tif 000032
【図１３】
2010158010.tif 000033
【図１４】
2010158010.tif 000034
【図１５】
2010158010.tif 000035
【図１６】
2010158010.tif 000036